(57)【要約】【課題】紙製容器を用手的に容易に破り開いて廃棄できるようにする。【解決手段】板紙基材に樹脂や金属箔などを積層状にラミネート処理して積層構造になった紙製容器の包材のうちの板紙基材や板紙基材を含む複数の層にあらかじめミシン目や切り目を入れたり板紙基材の一部を切り欠いたりしてその部分で包材を用手的に容易に破ることができるように加工した材料を使用して紙製容器を組み立てることにより、紙製容器を廃棄するために展開する方法を従来の鋏を使って「切り開く」作業から、より容易な、用手的に「破り開く」作業に、変更した。【選択図】図１
2017197231.tif 000002
【特許請求の範囲】
【請求項１】
切妻屋根型の紙製容器であって、組み立て材料である板紙基材に樹脂フィルムや金属箔などを積層状にラミネート処理して複数の層からなる積層構造になった包材のうちの適切な部位の板紙基材や板紙基材を含む複数の層にあらかじめミシン目や切り目を入れたり板紙基材の一部を切り欠いたりしてその部分で包材を用手的に容易に破ることができるように加工しておくことにより、その容器を廃棄する時などに、従来鋏を使用して容器を切り開いて廃棄していてものを、用手的に容易に破り開いて廃棄したりすることができるような仕組みにしたことを特徴とする、切妻屋根型の紙製容器。
【請求項２】
ブリック型や円筒型や正四面体型など切妻屋根型以外の型の紙製容器であって、組み立て材料である板紙基材に樹脂や金属箔などを積層状にラミネート処理して複数の層からなる積層構造になった包材のうちの適切な部位の板紙基材や板紙基材を含む複数の層にあらかじめミシン目や切り目を入れたり板紙基材の一部を切り欠いたりしてその部分で包材を用手的に容易に破ることができるように加工しておくことにより、用手的に容易に破り開いて廃棄したりすることができるような仕組みにしたことを特徴とする、紙製容器。
【発明の詳細な説明】
【技術分野】
【０００１】
本発明は、紙製容器に関するものである。
【背景技術】
【０００２】
従来、切妻屋根型の紙製容器を廃棄する時には、リサイクルの観点から、鋏を使用して容器を切り開いて廃棄する必要があった。
【発明の概要】
【発明が解決しようとする課題】
【０００３】
従来、切妻屋根型の紙製容器はリサイクルの観点から鋏を使用して容器を切り開いて廃棄する必要があったが、この作業には丈夫な鋏を必要とし、力も必要で、容易ではなかった。
【０００４】
本発明は、この問題点を解決するためになされたものである。
【課題を解決するための手段】
【０００５】
請求項１に記載の本発明は、切妻屋根型の紙製容器の材料である積層構造になった包材の適切な位置の基材や基材を含む複数の層にミシン目や切り目を入れたり基材や基材を含む複数の層を切り欠いたりすることで包材をその部位で用手的に容易に破ることができるように加工することにより、使用者が内容物を飲んだあとで容器を廃棄する時に容器を用手的に容易に破り開くことができるようにしたことを特徴とする。
【０００６】
請求項２に記載の本発明は、切妻屋根型以外の型の紙製容器でも用手的に容易に破り開いて廃棄することができるような仕組みにしたことを特徴とする。
【発明の効果】
【０００７】
請求項１および請求項２に記載の本発明によれば、従来鋏を使用して容器を切り開いて廃棄していた紙製容器を、用手的に容易に破り開いて廃棄することができる。
【０００８】
尚、破り開いた容器は必ずしも破棄する必要はなく、廃棄しても破棄しなくてもよいし、別の用途に使用してもよい。
【０００９】
また、請求項１および請求項２に記載の、「板紙基材や板紙基材を含む複数の層にあらかじめミシン目や切り目を入れたり板紙基材の一部を切り欠いたりしてその部分で包材を用手的に容易に破ることができるように加工しておくこと」については、その加工を行う板紙基材以外の層の選択方法と、その具体的な加工方法は任意で、包材全体の強度と包材内の板紙基材の強度と、さらに組立てられた容器全体の強度の関係を考慮して、板紙基材を含む複数の層を選択する場合には、板紙基材以外のどの層を選択するのか、また加工方法は切り目にするのか、目の細かいミシン目にするのか、目の粗いミシン目にするのか、あるいはお菓子の箱によく見られるような折れ曲がった切り目にするのか、段ボール箱によく見られるような折れ曲がった切り目の間に横向きの線を入れるのか、ＵＳＢメモリのケースに見られる片方のみの矢印がつながったものにするのか、これまでにないパターンを新たに作るのか、それとも幅をもって一部を切り欠くのか、などを決定することとする。
【図面の簡単な説明】
【００１０】
【図１】実施例１の組立加工前の包材を容器の表側から見た展開図。
【図２】実施例１の紙製容器の斜視図。
【図３】実施例１でトップシール部を剥離した状態の斜視図。
【図４】実施例１で破り開いた容器の内側から見た展開図。
【図５】実施例２の組立加工前の包材を容器の表側から見た展開図。
【図６】実施例２の紙製容器の斜視図。
【図７】実施例２でトップシール部を剥離した状態の斜視図。
【図８】実施例２で破り開いた容器の内側から見た展開図。
【発明を実施するための形態】
【実施例１】
【００１１】
実施例１は、市販の切妻屋根型の内容量５００ｍＬの牛乳パックの一つをイメージした紙製容器で、請求項１に記載のように用手的に容易に破り開いて廃棄することができる仕組みになっているもので、図１乃至４を参照しながら説明する。
【００１２】
図１は実施例１の紙製容器の組立加工前の包材を容器の表側から見た展開図である。太い破線で示したラインＷ（Ｗ）、ラインＸ（Ｘ）、およびラインＹ（Ｙ）や太い一点鎖線で示したラインＶ（Ｖ）の部位は、その部位の包材の板紙基材にあらかじめミシン目を入れて用手的に容易に破ることができるように加工した部位である。
【００１３】
図２は実施例１の紙製容器の斜視図である。各パネルと各ラインの名称は、それぞれ図１の各パネルと各ラインの名称に対応する。尚、一点鎖線で示したラインＶ（Ｖ）は、容器の向こう側で実際にはこの角度からは見えない部位である。
【００１４】
消費者は内容物を飲用した後、容器を廃棄する場合には、まず容器のトップシール部の接合部を全部剥離する。
図３は実施例１でトップシール部の接合部を全部剥離した状態の斜視図である。各パネルと各ラインの名称は、それぞれ図１および図２の各パネルと各ラインの名称に対応する。尚、一点鎖線で示したラインＶ（Ｖ）は、容器の向こう側で実際にはこの角度からは見えない部位である。
使用者は図３で矢印に示した方向にラインＸ（Ｘ）、ラインＹ（Ｙ）、ラインＶ（Ｖ）、およびラインＷ（Ｗ）を破って容器を破り開く。
【００１５】
図４は実施例１で破り開いて展開した容器の内側から見た展開図である。各パネルと各ラインの名称は、それぞれ図１乃至図３の各パネルと各ラインの名称に対応する。
使用者は図４のように破り開いた容器を廃棄する。
【実施例２】
【００１６】
実施例２も、請求項１に記載と同様の紙製容器で、実施例１とは破り開く部位が異なるもので、図５乃至８を参照しながら説明する。
【００１７】
図５は実施例２の紙製容器の組立加工前の包材を容器の表側から見た展開図である。太い破線で示したラインＷ（Ｗ）、ラインＸ（Ｘ）、およびラインＺ（Ｚ）や太い一点鎖線で示したラインＶ（Ｖ）の部位は、その部位の包材の板紙基材にあらかじめミシン目を入れて用手的に容易に破ることができるように加工した部位である。
【００１８】
図６は実施例２の紙製容器の斜視図である。各パネルと各ラインの名称は、それぞれ図５の各パネルと各ラインの名称に対応する。尚、一点鎖線で示したラインＶ（Ｖ）は、容器の向こう側で実際にはこの角度からは見えない部位である。
【００１９】
消費者は内容物を飲用した後、容器を廃棄する場合には、まず容器のトップシール部の接合部を全部剥離する。
図７は実施例２でトップシール部の接合部を全部剥離した状態の斜視図である。各パネルと各ラインの名称は、それぞれ図５および図６の各パネルと各ラインの名称に対応する。尚、一点鎖線で示したラインＶ（Ｖ）は、容器の向こう側で実際にはこの角度からは見えない部位である。
使用者は図７で矢印に示した方向にラインＸ（Ｘ）、ラインＺ（Ｚ）、ラインＶ（Ｖ）、およびラインＷ（Ｗ）を破って容器を破り開く。
【００２０】
図８は実施例２で破り開いて展開した容器の内側から見た展開図である。各パネルと各ラインの名称は、それぞれ図５乃至図７の各パネルと各ラインの名称に対応する。
使用者は図８のように破り開いた容器を廃棄する。
【００２１】
上述の２つの実施例では、わかりやすく説明するために、いずれも用手的に容易に破ることができるようにするための加工は包材の板紙基材にあらかじめミシン目をいれることで統一したが、本発明の実施に当たっては、用手的に容易に破ることができるようにする目的であらかじめ施す加工する部位は、包材全体の強度と包材内の板紙基材の強度と、さらに組立られた容器全体の強度の関係を考慮して、板紙基材を含む複数の層を選択する場合には、どの層を選択するのかを決定し、また実際の加工の方法は任意で、容器の強度と使用者の破りやすさとのかねあいで、単純な切り目をいれるのか、目の細かいミシン目をいれるのか、目の粗いミシン目をいれるのか、それともお菓子の箱によく見られるような折れ曲がった切り目にするのか、または段ボール箱によく見られるような折れ曲がった切り目の間に横向きの線を入れるのか、それとも一定の幅をもって一部を切り欠くのか、更には加工する部位により加工方法を変更するのか、などさまざまなの方法から、丈夫で押しつぶしても破れにくく、一方で破り開く時は破りやすいようになるようになるような加工方法を採用することとする。
【００２２】
また、上述の２つの実施例では、説明しやすいように破り開くラインを直線で、ラインが曲がる部位は角をつけて曲げるように設計したが、本発明の実施に当たっては、容器の強度を確保しつつも破り開く時に力を加えやすくするためなどの目的で、破り始めの部分や角の部位を滑らかな曲がり角度や曲線のラインに加工したりする工夫が必要な場合もある。
【００２３】
尚、破り開いた紙製容器の使用方法は任意で、多くは廃棄されると思われるが、保存してもよいし、別の用途に使用してもよい。
【００２４】
以上、実施例１および実施例２で、切妻屋根型の紙製容器を破り開く二つの方法を提示したが、本発明の範囲は上述の２例の実施例に何ら限定されたものではなく、複数の層からなる積層構造の包材の板紙基材や板紙基材を含む複数の層にミシン目や切り目を入れてたり一部を切り欠いたりしておいて、その部位を用手的に破り開くことが出来るように加工することで、従来の鋏を使って「切り開く」作業を、より容易な「破り開く」作業に変更するという趣旨に則っていれば、どんな紙製容器のどのような展開方法にも適用可能である。
【符号の説明】
【００２５】
１Ａ、１Ｃ、１Ｇ、１Ｉ  内側トップシールパネル
１Ｅ、１Ｋ  外側トップシールパネル
１Ｍ  内側トップシールパネル：糊しろ
２Ａ、２Ｃ、２Ｇ、２Ｉ  屋根裏形成パネル
２Ｂ、２Ｈ  妻壁形成パネル
２Ｅ、２Ｋ  切妻屋根形成パネル
２Ｍ  妻壁、屋根裏形成パネル：糊しろ
３Ｂ、３Ｅ、３Ｈ、３Ｋ  胴部パネル
３Ｍ  胴部パネル：糊しろ
４Ｂ、４Ｄ、４Ｅ、４Ｆ、４Ｈ、４Ｊ、４Ｋ、４Ｌ  底部パネル
４Ｍ  底部パネル：糊しろ
５Ｂ、５Ｈ  底部パネル：糊しろ
Ｖ  ラインＶ：板紙基材にミシン目を入れた部位
Ｗ  ラインＷ：板紙基材にミシン目を入れた部位
Ｘ  ラインＸ：板紙基材にミシン目を入れた部位
Ｙ  ラインＹ：板紙基材にミシン目を入れた部位
Ｚ  ラインＺ：板紙基材にミシン目を入れた部位
【図１】
2017197231.tif 000003
【図２】
2017197231.tif 000004
【図３】
2017197231.tif 000005
【図４】
2017197231.tif 000006
【図５】
2017197231.tif 000007
【図６】
2017197231.tif 000008
【図７】
2017197231.tif 000009
【図８】
2017197231.tif 000010